(57)【要約】【課題】美観を損なうことなく、確実にドア本体とドア枠の間に形成された隙間を遮断することができるドアを提供する。【解決手段】ドアＡは、ドア本体１の表面１ａに於ける周縁と対向する位置に形成された凹部１５と、該凹部に配置された気密材１６及び感熱発泡体１７と、を有する一対の縦枠１１、１２及び該一対の縦枠の上下両端部に配置された上枠１３及び下枠１４とからなるドア枠１０と、ドア枠に対し回動可能に構成されたドア本体１と、を有する。感熱発泡体１７が、凹部１５に於ける室外に向けて開放した面側、又は室内側に向けて開放した面側、或いは気密材１６によって遮蔽された面側に配置されている。【選択図】    図４
2017133234.tif 000002
【特許請求の範囲】
【請求項１】
ドア本体の表面に於ける周縁と対向する位置に形成された凹部と、該凹部に配置された気密材及び感熱発泡体と、を有する一対の縦枠及び該一対の縦枠の上下両端部に配置された上枠及び下枠とからなるドア枠と、
前記ドア枠に対し回動可能に構成されたドア本体と、
を有することを特徴とするドア。
【請求項２】
前記感熱発泡体が、凹部に於ける室外に向けて開放した面側、又は室内側に向けて開放した面側、或いは気密材によって遮蔽された面側に配置されていることを特徴とする請求項１に記載したドア。
【発明の詳細な説明】
【技術分野】
【０００１】
本発明は、火災が生じたときに熱気や火炎の通過を阻止することができ、且つ美観を損なうことがないドアに関するものである。
【背景技術】
【０００２】
建物に利用されるドアの場合、ドア本体とドア枠との間に全周にわたる隙間が形成される。このため、火災が生じたとき、この隙間を熱気や火炎が通過して延焼してしまう虞がある。これに対応するために、火災時にドア本体とドア枠の間に形成された隙間を封止
して熱気や火炎を遮断するように構成したドアが提案されている。
【０００３】
特許文献１に記載された防火戸は、無機質の耐火材からなるドア枠と、各端面に該端面と同一面となるように熱感応型発泡材を埋設して全表面をアルミニウム化粧材によって被覆したドアと、によって構成されたものである。この防火戸では、端面に埋設された熱感応型発泡材はアルミニウム化粧材によって被覆されるため、目視されることがなく美観を損なうことがない。
【０００４】
また、特許文献２に記載された既設ドア枠利用の防火改装ドアは、新設ドアのフレームの四周に気密材設置枠を設置し、この気密材設置枠に受溝と段差受座を形成すると共に、室内側パネルを受溝の面内部分を覆うように配置することで、受溝と段差受座が新設ドアの室内側見付面の外周に一連に露出するように配置している。そして、受溝にはテープ状の熱膨張材を奥行方向の底部に配置して室内側に気密材を装着することで、段差受座に配置した熱膨張材を気密材の張出基部によって覆うようにしている。このため、火災時に気密材が溶解焼失しても、熱膨張材が膨張して既設ドア枠との間を封止することができ、この結果、防火遮断することができる。
【０００５】
また、特許文献３に記載された断熱建具は、建物の開口部に設けられ、外側縦枠の外枠と内側縦枠の内枠との相互間に断熱形材を配置して構成された枠体に扉体を収容して構成されている。また、枠体の側面には、温度上昇によって膨張することにより断熱形材と扉体との相互間の隙間を減少させる耐火性の膨張材が取り付けられている。このため、火災時の熱気によって温度が上昇したとき、速やかに耐火性の膨張材が膨張することで隙間を封止することができる。
【先行技術文献】
【特許文献】
【０００６】
【特許文献１】特許第３０５７３９９号公報
【特許文献２】特許第５１３９６７１号公報
【特許文献３】特開２０１４−２１４５４６号公報
【発明の概要】
【発明が解決しようとする課題】
【０００７】
特許文献１に記載された防火戸では、ドアの端面に配置された熱感応型発泡材はアルミニウム化粧材によって被覆されている。このため、火災時には端面を被覆しているアルミニウムが溶解しない限り、熱感応型発泡材が発泡してもドアとドア枠との隙間を封止し得ない虞がある。そして、この隙間が封止されない場合、熱気や火炎が通過して火災延焼の虞が大きくなる。
【０００８】
また、特許文献２に記載された既設ドア枠利用の防火改装ドアでは、気密材がドアに装着されるため、このドアから露出することとなり、見た目が悪く美観を損なう虞がある。特に、ドアから露出した気密材が、該ドアの開閉時に何等かの物体と接触して裂けたり、破れたりする虞がある。
【０００９】
また、特許文献３に記載された断熱建具では、枠体に配置された耐火性膨張材は部分的に露出して人目にさらされることとなり、美観を損なう虞がある。また、耐火性膨張材の枠体に対する固定方式によっては長期間の経過に伴って剥がれたりする虞があり、信頼性に不安がある。
【００１０】
本発明の目的は、美観を損なうことなく、確実にドア本体とドア枠の間に形成された隙間を遮断することができるドアを提供することにある。
【課題を解決するための手段】
【００１１】
上記課題を解決するために本発明に係るドアは、ドア本体の表面に於ける周縁と対向する位置に形成された凹部と、該凹部に配置された気密材及び感熱発泡体と、を有する一対の縦枠及び該一対の縦枠の上下両端部に配置された上枠及び下枠とからなるドア枠と、前記ドア枠に対し回動可能に構成されたドア本体と、を有するものである。
【００１２】
上記ドアに於いて、前記感熱発泡体が、凹部に於ける室外に向けて開放した面側、又は室内側に向けて開放した面側、或いは気密材によって遮蔽された面側に配置されていることが好ましい。
【発明の効果】
【００１３】
本発明に係るドアでは、ドア枠を構成する一対の縦枠、上枠及び下枠のドア本体の周縁と対向する位置に形成された凹部に気密材と感熱発泡体を配置したので、気密材の一部が凹部から露出するものの、ドア本体から露出するものではない。即ち、ドア本体から露出するものがなく美観を損なうことがない。
【００１４】
特に、縦枠、上枠、下枠に形成された凹部に配置された感熱発泡体には、火災時の熱気が確実に伝わるため、感熱発泡体の確実な発泡を実現してドア本体とドア枠との間に形成された隙間を封止することができ、熱気や火炎の通過を阻止することができる。
【００１５】
また、感熱発泡体を凹部に於ける室外に開放した面側又は室内側に開放した面側、或いは気密材によって遮蔽された面側に配置することによって、感熱発泡体に直接作用する熱気によって、或いはドア枠を構成する縦枠、上枠、下枠を通して伝えられた熱気によって確実に発泡することができる。
【図面の簡単な説明】
【００１６】
【図１】ドアの正面図である。
【図２】ドアの横断面図である。
【図３】ドアの縦断面図である。
【図４】ドア枠とドア本体との関係を説明する拡大図である。
【図５】凹部に対する気密材と感熱発泡体の配置例を説明する図である。
【発明を実施するための形態】
【００１７】
本発明に係るドアは、建物の玄関に設置されて近隣火災や何等かの原因に起因して生じた熱気がドア枠とドア本体との間に形成された隙間に作用したとき、感熱発泡体が発泡膨張してこの隙間を塞ぐことで、熱気や火炎を阻止し得るように構成したものである。特に、ドア枠に形成した凹部に気密材と感熱発泡体を配置することによって、ドア本体からこれら気密材や感熱発泡体が露出することがなく、美観を損なうことがない。
【００１８】
以下、本実施例に係るドアの構成について図１〜図５により説明する。図に示すドアＡは住宅用の玄関ドアとして構成されており、ドア枠１０と、該ドア枠１０に対し回動可能に構成されたドア本体１とを有している。
【００１９】
ドア本体１は、ヒンジ２を介してドア枠１０に対し回動可能に取り付けられている。また、ドア本体１の所定位置にはドアハンドル３及び錠４が設けられている。従って、ドア本体１を回動させることで、玄関を開き或いは閉じることが可能である。そして、ドア本体１を閉じたとき、該ドア本体１とドア枠１０との間には隙間５が形成される。
【００２０】
本発明に於いて、ドア本体１の構造を限定するものではなく、木製のドア本体であって良く、また金属製のドア本体であって良い。
【００２１】
ドア枠１０は、対峙して配置された一対の縦枠１１、１２と、該縦枠１１、１２の上端部を接続して配置された上枠１３、及び下端部を接続して配置された下枠１４を有している。縦枠１１、１２及び上枠１３は夫々玄関部分を構成する建物の壁又は壁の下地（以下代表して「壁２０」という）に固定されており、下枠１４は玄関の土間２１に埋設されている。
【００２２】
一方の縦枠１１に複数のヒンジ２が取り付けられており、該ヒンジ２を介してドア本体１が回動可能に取り付けられている。また、他方の縦枠１２にはドアハンドル３、錠４のストライク（図示せず）が設けられている。
【００２３】
縦枠１１、１２、上枠１３は同一の断面形状を有しており、下枠１４は玄関のポーチと土間２１の高さに対応させた形状と寸法を有している。これらの縦枠１１、１２、上枠１３、下枠１４は、鋼板、ステンレス鋼板或いはアルミニウム板等の薄板をロール成形或いはプレス成形することが可能である。また、アルミニウムの押出成形による形材を利用することも可能である。
【００２４】
縦枠１１、１２、上枠１３、下枠１４には、夫々長手方向に共通した形状と寸法を有する凹部１５が形成されている。この凹部１５は気密材１６及び感熱発泡体１７を収容するためのものであり、縦枠１１、１２、上枠１３、下枠１４によってドア枠１０を構成したとき、ドア本体１の室内側の面１ａに於ける周縁と対向する位置に形成されている。
【００２５】
従って、凹部１５に気密材１６及び感熱発泡体１７を収容、配置してドア本体１を閉鎖したとき、凹部１５に配置された気密材１６はドア本体１の室内側の面１ａの周縁と接触して隙間５を封止することで、室内と室外の通気を遮断することが可能である。特に、火災などに起因して生じた熱気や火炎が隙間５に入り込んだとき、凹部１５に配置された感熱発泡体１７が発泡膨張して該隙間５を封止することが可能である。従って、熱気や火炎が隙間５を通過することがなく、延焼を防ぐことが可能となる。
【００２６】
前述したように、縦枠１１、１２、上枠１３、下枠１４に形成された凹部１５は同一の形状と寸法を有しており、同一の気密材１６、感熱発泡体１７が配置されている。このため、代表して縦枠１１について図４により具体的に説明する。
【００２７】
図に示すように、縦枠１１は、室内側片１１ａと、前記室内側片よりも寸法の小さい室外側片１１ｂと、前記室内側片１１ａから室外側片１１ｂ側に向けて略直角に屈折した屈折片１１ｃと、室外側片１１ｂから室内側片１１ａに向けて屈折したドア対向片１１ｄと、屈折片１１ｃとドア対向片１１ｄを接続して形成された凹部１５と、を有している。
【００２８】
凹部１５に対して気密材１６と感熱発泡体１７を配置する際に、該気密材１６と感熱発泡体１７の関係位置は特に限定するものではない。本実施例では、図４に示すように、感熱発泡体１７を凹部１５に於ける屈折片１１ｃ側に配置することで、室内に向けて開放した面側に配置している。
【００２９】
また、図５（ａ）に示すように、感熱発泡体１７を凹部１５に於けるドア対向片１１ｄ側に配置することで、室外に向けて開放した面側に配置しても良く、更に、同図（ｂ）に示すように、感熱発泡体１７を凹部１５に於ける底部分に配置してその上に気密材１６を配置しても良い。
【００３０】
凹部１５の幅寸法及び深さ寸法は、配置すべき気密材１６と感熱発泡体１７の寸法に対応して適宜設定されている。即ち、凹部１５に気密材１６と感熱発泡体１７を収容して配置したとき、気密材１６の接触部が該凹部１５から突出してドア本体１に対し充分な押圧力をもって接触することが可能な深さに設定されている。
【００３１】
凹部１５に配置される感熱発泡体１７は、熱気或いは火炎の作用によって雰囲気が予め設定された温度に上昇したとき、この温度に感応して発泡するものである。このため、感熱発泡体としては前記機能を有するものであれば良く、特に材質を限定するものではない。
【００３２】
特に、ドア枠１０を構成する縦枠１１、１２、上枠１３、下枠１４が金属製である場合、室外側或いは室内側の温度が上昇したとき、金属の熱伝導によって感熱発泡体１７に熱を伝えることが可能となる。このため、凹部１５に於ける配置位置の如何に関わらず確実な発泡を実現することが可能である。
【００３３】
上記の如くして構成されたドアＡでは、気密材１６及び感熱発泡体１７が縦枠１１、１２、上枠１３、下枠１４に形成された凹部１５に収容されて配置されるため、外部から視認される虞が少ない。このため、ドアＡとしての美観を損なうことがない。
【００３４】
また、感熱発泡体１７が凹部１５に対し気密材１６と共に配置されるため、該凹部１５から離脱する虞もない。
【産業上の利用可能性】
【００３５】
本発明に係るドアは、玄関ドア或いは屋内に於ける居室ドアとして利用することが可能である。
【符号の説明】
【００３６】
Ａ                ドア
１                ドア本体
１ａ              室内側の面
２                ヒンジ
３                ドアハンドル
４                錠
５                隙間
１０              ドア枠
１１、１２        縦枠
１１ａ            室内側片
１１ｂ            室外側片
１１ｃ            屈折片
１１ｄ            ドア対向片
１３              上枠
１４              下枠
１５              凹部
１６              気密材
１７              感熱発泡体
２０              壁
２１              土間
【図１】
2017133234.tif 000003
【図２】
2017133234.tif 000004
【図３】
2017133234.tif 000005
【図４】
2017133234.tif 000006
【図５】
2017133234.tif 000007